(57)【特許請求の範囲】
【請求項１】
媒体が入金され又は出金される入出金部と、
前記入出金部を覆うシャッタと、
前記シャッタの上方に配設された光源とを備え、
前記光源は、入射面と前記入出金部の内部に対向する出射面と側面の一部に設けた拡散面とを備える導光体を有し、
前記導光体は、その側面で全反射する全反射光が前記拡散面に入射することなく、前記出射面に入射する光軸長さに形成されており、
前記拡散面で拡散する拡散光は、前記入出金部の周囲及び自装置の外部の何れか一方又は双方を照明する
ことを特徴とする自動取引装置。
【請求項２】
媒体が入金され又は出金される入出金部と、
前記入出金部を覆うシャッタと、
前記シャッタの上方に配設された光源とを備え、
前記光源は、入射面と前記入出金部の内部に対向する出射面と側面の一部に設けた拡散面とを備える導光体を有し、
前記出射面は、前記入射面に対して傾斜している傾斜面であり、
前記拡散面で拡散する拡散光は、前記入出金部の周囲及び自装置の外部の何れか一方又は双方を照明する
ことを特徴とする自動取引装置。
【請求項３】
請求項２に記載の自動取引装置であって、
前記傾斜面と前記入射面とは、臨界角よりも小さな角度をなしている
ことを特徴とする自動取引装置。
【請求項４】
請求項２に記載の自動取引装置であって、
前記傾斜面と前記入射面とは、前記拡散面から照射される光量と略等しい光量が出射する角度に形成されている
ことを特徴とする自動取引装置。
【請求項５】
請求項２に記載の自動取引装置であって、
前記導光体は、前記光源の光軸に対して垂直方向に延在する板状導光体に前記拡散面が延在したものであり、
前記板状導光体は、前記入射面に対して平行な平行面と前記入射面に対して傾斜している傾斜面とが、前記出射面に交互に形成されている
ことを特徴とする自動取引装置。
【請求項６】
請求項５に記載の自動取引装置であって、
前記板状導光体の前記入射面に入射させる線状光源を備えている
ことを特徴とする自動取引装置。
【請求項７】
請求項５に記載の自動取引装置であって、
前記板状導光体の前記入射面に入射させる複数の分割光源を備え、
前記平行面の対向側に設けた分割光源と前記傾斜面の対向側に設けた分割光源とを独立制御する制御部をさらに備える
ことを特徴とする自動取引装置。
【請求項８】
請求項１乃至請求項７の何れか一項に記載の自動取引装置であって、
前記導光体は、透明な透光性媒体で形成されている
ことを特徴とする自動取引装置。
【請求項９】
請求項１乃至請求項７の何れか一項に記載の自動取引装置であって、
前記導光体は、拡散剤が混入している樹脂で形成されている
ことを特徴とする自動取引装置。
【発明の詳細な説明】
【技術分野】
【０００１】
本発明は、自動取引装置に関し、例えば、入出金部の近傍を照明する投入口誘導灯、及び入出金部の内部を照明する投入口照明灯を備えた自動取引装置に関する。
【背景技術】
【０００２】
一般に、ＡＴＭ等の自動取引装置は、入出金部としての紙幣入出金口の位置を示し、紙幣の取り出しを誘導する投入口誘導灯や、紙幣入出金口の内部を照明する投入口照明灯を設け、夜間でも出金時に顧客が紙幣を取り出しやすいようにしている。
【０００３】
また、特許文献１は、入金時には顧客が入金紙幣を入れ、出金時には装置内から繰り出される出金紙幣を収納する紙幣投入部のシャッタを駆動して入出金部を開いたときに点灯する照明ランプを紙幣投入部の内部の左右に設けた紙幣入出金機を開示している。
【先行技術文献】
【特許文献】
【０００４】
【特許文献１】特開２００４−１３９６１４号公報
【発明の概要】
【発明が解決しようとする課題】
【０００５】
前記した自動取引装置は、投入口照明灯がシャッタの下方に配設されている入出金部に配設されており、紙幣の取り出しを誘導するために、取引者、及び紙幣投入部の周囲を照明する投入口誘導灯がシャッタの上方に配設されていた。つまり、前記した自動取引装置は、投入口誘導灯としての光源と、紙幣投入部の内部を照明する投入口照明灯との２つの光源を備えていた。それぞれの光源は発光素子やレンズなどの部品を有しているため、前記した自動取引装置は、２つの光源の配設がコストアップの要因となっていた。
【０００６】
そこで、本発明は、コストを低減することができる自動取引装置を提供することを目的とする。
【課題を解決するための手段】
【０００７】
前記目的を達成するため、第１発明の自動取引装置（１００）は、媒体（ＢＬ）が入金され又は出金される入出金部（３）と、前記入出金部を覆うシャッタ（４）と、前記シャッタの上方に配設された光源（１０）とを備え、前記光源は、入射面と前記入出金部の内部に対向する出射面と側面の一部に設けた拡散面とを備える導光体を有し、前記導光体は、その側面で全反射する全反射光が前記拡散面に入射することなく、前記出射面に入射する光軸長さに形成されており、前記拡散面で拡散する拡散光は、前記入出金部の周囲及び自装置の外部の何れか一方又は双方を照明することを特徴とする。なお、（  ）内の符号や記号は例示である。
【発明の効果】
【０００９】
本発明によれば、コストを低減することができる。
【図面の簡単な説明】
【００１０】
【図１Ａ】本発明の第１実施形態の自動取引装置の正面図である。
【図１Ｂ】本発明の第１実施形態の自動取引装置の側面図である。
【図２】本発明の第１実施形態の自動取引装置の入出金部、及びその近傍の詳細図である。
【図３】本発明の第１実施形態の自動取引装置の入出金部、及び光源の位置関係を示す斜視図である。
【図４】入出金部を照明する光源の照明原理を説明するための説明図である。
【図５】シャッタ、及び発光モジュールの動作を説明するためのフローチャートである。
【図６】本発明の第２実施形態の自動取引装置の入出金部を照明する光源の照明原理を説明するための説明図である。
【図７】本発明の第３，４実施形態の自動取引装置の入出金部を照明する光源の断面図である。
【図８】樹脂と空気との界面に入射する入射光の入射角とエネルギ反射率との関係を示す図である。
【図９】本発明の第５実施形態の自動取引装置の入出金部を照明する光源の正面図である。
【図１０Ａ】本発明の第５実施形態の自動取引装置の入出金部を照明する光源の部分断面図（１）である。
【図１０Ｂ】本発明の第５実施形態の自動取引装置の入出金部を照明する光源の部分断面図（２）である。
【図１１】本発明の第６実施形態の自動取引装置の入出金部、及びその近傍の詳細図である。
【図１２】本発明の第７実施形態の入出金部、及びその近傍の詳細図である。
【図１３】本発明の第８実施形態の入出金部、及びその近傍の詳細図である。
【図１４】本発明の比較例である自動取引装置の入出金部、及びその近傍の詳細図である。
【発明を実施するための形態】
【００１１】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１２】
(第１実施形態)
図１Ａは、本発明の第１実施形態の自動取引装置の正面図であり、図１Ｂは、その側面図である。
自動取引装置１００は、紙幣処理装置２、及び制御装置５が本体筐体１の下部に配設されており、本体筐体１の上部に入力表示部１５０が配設されている。紙幣処理装置２は、その上部に入出金部３を備え、入出金部３は、媒体としての紙幣ＢＬ（図２）を入金、又は出金するための紙幣入出金口であり、シャッタ４で閉塞するように構成されている。
【００１３】
自動取引装置１００は、取引者に対して紙幣ＢＬの取り出しを誘導する投入口誘導灯として機能する拡散曲面６ｂが設けられている。紙幣処理装置２は、入出金部３に入金された紙幣を鑑別し、金種毎に計数し、金庫に格納し、入出金部３に出金する装置である。制御装置５は、制御部としてのＣＰＵ（Central Processing Unit）を備え、紙幣処理装置２等の各部を制御する。入力表示部１５０は、タッチパネルであり、取引画面を表示するためにＬＣＤ（Liquid Crystal Display）を用いている。
【００１４】
図２は、本発明の第１実施形態の自動取引装置の入出金部、及びその近傍の詳細図であり、図３は、本発明の第１実施形態の自動取引装置の入出金部、及び光源の位置関係を示す斜視図である。
自動取引装置１００は、本体筐体１に光源１０が配設されており、光源１０は、入出金部３の内部に出金された紙幣ＢＬを照明すると共に、拡散曲面６ｂが点灯するものである。拡散曲面６ｂは、入出金部３の上方に配設されており、取引者、及び入出金部３の周囲（本体筐体１であって入出金部３の近傍）を拡散照明する。言い換えれば、拡散曲面６ｂは、自動取引装置１００の外部の取引者に向けて照明（照光）する。なお、光源１０は、連続点灯してもよいし、点滅してもよい。光源１０は、点滅することにより、投入口誘導灯としての拡散曲面６ｂがフリッカランプとして機能する。
【００１５】
光源１０は、導光体６と、基板７に搭載された発光モジュール８とから構成されており、シャッタ４の開閉面よりも上方（入出金部３の外部）に配設されている。光源１０は、拡散曲面６ｂの照光により、取引者、及び入出金部３の周囲（本体筐体１であって入出金部３の近傍）を拡散照明（照光）すると共に、シャッタ４の開放に伴い、入出金部３の内部を照明する。また、入出金部３（図３）は、断面視略Ｕ字状であり、一方の側面３ａの高さが他方の側面３ｂよりも低く形成されており、シャッタ４の開放時に、紙幣ＢＬまで照射光が到達するようになっている。なお、入出金部３は、３つの側面３ｂ，３ｃ，３ｄの高さが略同一に形成されている。
【００１６】
図４は、入出金部を照明する光源の断面図である。
光源１０は、導光体６と、基板７に搭載された発光モジュール８とから構成される。発光モジュール８は、ライン状の発光面を備えたＬＥＤ（Light Emitting Diode）素子であったり、複数のＬＥＤ素子がライン状に配列されたりしたものである。なお、ライン状に配列された複数のＬＥＤ素子は、これらが同時点灯する線状光源である。導光体６は、透明樹脂（例えば、ポリカーボネート）やガラス等の透光性媒体で形成されている。
【００１７】
導光体６は、断面視で、出射平面６ａと、拡散曲面６ｂと、入射平面６ｃとが形成されており、拡散曲面６ｂが板状導光体の側面の出射平面６ａ側にレンズ状に延在したものである。出射平面６ａは、入出金部３の内部、特に、紙幣ＢＬに対向している。ここで、出射平面６ａと入射平面６ｃとは互いに略平行の研磨面であり、拡散曲面６ｂの表面はブラストやシボ加工などにより細かい凹凸形状に形成されている。なお、言い換えれば、拡散曲面６ｂは、断面視で半円状に形成されているので、出射平面６ａと拡散曲面６ｂとは形状が異なっている。
【００１８】
入射平面６ｃは、発光モジュール８の発光面８ａに近接・対向しており、発光面８ａが所定のビーム角で照射する照射光は入射平面６ｃに入射する。発光モジュール８の発光面８ａに対して垂直に出射した出射光Ｐ０は、出射平面６ａから出射する。発光面に対して所定の角度で出射した出射光Ｐ１は、導光体６の側面で反射する反射光Ｐ２と、該側面を透過する透過光Ｐ３とに分かれる。反射光Ｐ２は、拡散曲面６ｂに到達し、拡散曲面６ｂから拡散光が照射される。
【００１９】
発光モジュール８の出射光Ｐ５が導光体６の側面に入射する入射角θｉが臨界角θｃ以上になると、出射光Ｐ５は、導光体６の側面で全反射するようになる。ここで、樹脂（ポリカーボネート）の屈折率をｎ１＝１．５９とし、空気の屈折率をｎ０＝１．０とすると、臨界角θｃは、
θｃ＝ｓｉｎ−１（ｎ０／ｎ１）≒３９°
である。つまり、出射光Ｐ５は、導光体６の側面に入射するときの入射角θｉが３９°以上になると、全反射する。
【００２０】
導光体６の側面で全反射した全反射光Ｐ６は、出射平面６ａで反射光Ｐ７と、透過光Ｐ８とに分かれる。反射光Ｐ７は、拡散曲面６ｂに到達し、拡散曲面６ｂから拡散光が照射される。なお、導光体６は、二点鎖線で示すように、その光軸方向の長さである光軸長さＬをＬ１まで長くすれば、側面での全反射光Ｐ６は、出射平面６ａで反射することなく、直接、拡散曲面６ｂまで到達する。
【００２１】
図５は、シャッタ、及び発光モジュールの動作を説明するフローチャートである。
このルーチンは、入力表示部１５０（図１Ａ）に表示される取引画面で「出金」ボタンが押下されると、制御装置５の制御部（ＣＰＵ）が実行する。
制御装置５は、発光モジュール８を点灯又は点滅させ（Ｓ１０）、シャッタ４を開放させる（Ｓ１２）。これにより、拡散曲面６ｂから照射される拡散光は、取引者に対して入出金部３からの紙幣ＢＬの取り出しを誘導する。また、出射平面６ａからの出射光は、入出金部３の内部に出金された紙幣ＢＬを照明する。
【００２２】
制御装置５は、所定時間待機すると共に、図示しないセンサが取引者による紙幣ＢＬの取り出しを確認する（Ｓ１４）。そして、制御装置５は、発光モジュール８を消灯し（Ｓ１６）、シャッタ４を閉じて（Ｓ１８）、このルーチンを終了する。
【００２３】
（効果の説明）
以上説明したように、本実施形態の光源１０は、発光モジュール８の発光、又は点滅により、導光体６は、拡散曲面６ｂが取引者、及び入出金部３の周囲を拡散照明（照光）し、シャッタ４が開放されたときに、出射平面６ａが入出金部３の内部の紙幣ＢＬを照明することができる。また、導光体６が出射平面６ａと拡散曲面６ｂとの双方を形成することにより、１つの光源で、誘導灯と照明灯との双方の機能が実現される。このため、本実施形態の光源１０は、２つの光源を使うよりも、コストを低減することができる。なお、拡散曲面６ｂの表面の細かい凹凸形状により、出射光が拡散するので、全体が光って見え、点滅時にフリッカレンズとして機能する。
【００２４】
（第２実施形態）
前記第１実施形態の導光体６は、透明樹脂やガラス等の透光性媒体で形成されていたが、光を拡散する拡散剤を添加した樹脂で形成することができる。
【００２５】
図６は、本発明の第２実施形態の自動取引装置の入出金部を照明する光源の照明原理を説明するための説明図である。
光源２０は、基板７に搭載された発光モジュール８と、導光体１６とを備え、導光体１６は、拡散剤としての色素や顔料等を均一に分散した透明樹脂から形成されており、例えば、乳白色を呈している。なお、導光体１６は、第１実施形態と同様に、断面視で、出射平面１６ａと拡散曲面１６ｂと入射平面１６ｃとが形成された板状導光体である。また、第１実施形態と同様に、出射平面１６ａと入射平面１６ｃとは互いに略平行であり、拡散曲面１６ｂは、導光体１６の側面の出射平面１６ａ側にレンズ状に延在したものであり、その表面はブラストやシボ加工などにより細かい凹凸形状に形成されている。
【００２６】
発光モジュール８の発光面に対して垂直に出射した出射光Ｐ１０は、均一に散在する拡散剤で散乱しつつ、出射平面１６ａから出射する。また、発光面に対して任意の角度で出射した出射光Ｐ１１は、拡散剤で拡散、乃至散乱しつつ、導光体１６の側面１６ｅで反射したり、出射平面１６ａで反射したりする。そして、拡散剤で拡散、乃至散乱した拡散光や、反射光は、拡散曲面１６ｂに到達し、拡散曲面１６ｂから拡散光として照射される。
【００２７】
本実施形態の光源２０は、拡散剤で散乱、乃至散乱した散乱光が拡散曲面１６ｂに到達するので、第１の実施形態の光源１０（図４）において、側面で全反射する全反射光Ｐ６が拡散曲面６ｂに到達するように、導光体６（１６）の長さＬを延ばすことなく、拡散曲面１６ｂで拡散する拡散光を強くすることができる。つまり、本実施形態の光源２０は、側面で全反射する光が拡散曲面１６ｂに入射することなく、出射平面１６ａに入射する光軸長さＬの導光体であっても、拡散曲面１６ｂで拡散する拡散光が強い。つまり、光源２０は、拡散曲面１６ｂが明るく照光する。
【００２８】
（第３実施形態）
前記した第１，２実施形態の導光体６，１６は、断面視で、入射平面６ｃ，１６ｃに対して平行な出射平面６ａ，１６ａが形成されていたが、入射平面６ｃ，１６ｃに対して傾斜した傾斜面を形成することができる。
【００２９】
図７は、本発明の第３，４実施形態の自動取引装置の入出金部を照明する光源の断面図である。
光源３０は、基板７に搭載された発光モジュール８と、導光体２６とを備え、導光体２６は、透光性媒体により形成されている。導光体２６は、断面視で、出射傾斜面２６ａと拡散曲面２６ｂと入射平面２６ｃとが形成されており、出射傾斜面２６ａは、入射平面２６ｃに対して略４５°傾斜している。なお、導光体２６は、透光性媒体でなくても、第２実施形態のように拡散剤を混入しても構わない。
【００３０】
入射平面２６ｃから垂直に出射した出射光Ｐ２１は、出射傾斜面２６ａに入射角θｉ＝４５°で入射する。入射角θｉ＝４５°は、臨界角θｃ≒３９°よりも大きいので、出射傾斜面２６ａに入射した入射光Ｐ２１は、全反射し、全反射した全反射光Ｐ２２は拡散曲面２６ｂに入射し、拡散光として出射する。ここで、出射傾斜面２６ａが鏡面でなく、ブラストやシボ加工などにより拡散面として形成されていれば、出射傾斜面２６ａからも拡散光Ｐ２３が出射する。
【００３１】
（第４実施形態）
前記第３実施形態の導光体２６は、出射傾斜面２６ａを入射平面２６ｃに対して略４５°傾斜させて、全反射させたが、入射角θｉを臨界角θｃ≒３９°よりも若干小さくして、透過光を出射させることができる。また、出射傾斜面２６ａは、傾斜角を調整することにより、透過光の光量と反射光の光量とを略等しくすることもできる。
【００３２】
図８は、樹脂と空気との界面に入射する入射光の入射角とエネルギ反射率との関係を示す図である。横軸は入射角θｉ［°］を示し、縦軸は、エネルギ反射率［％］を示している。このエネルギ反射率は、ポリカーボネートの屈折率１．５９、及び空気の屈折率１．０として、フレネルの式を用いて演算した値である。
【００３３】
図８は、Ｓ偏光、及びＰ偏光、共に、臨界角θｃ≒３９°よりも大きな入射角θｉで反射率１００％であり、全反射を示している。また、図８は、臨界角θｃ≒３９°よりも若干小さな所定の入射角で反射率５０％を示し、透過光の光量と反射光の光量とが略等しくなる入射角θｉが存在することを示している。ここで、発光モジュール８が出射する光は、無偏光なので、Ｓ偏光とＰ偏光との二乗平均を考えればよい。なお、Ｓ偏光とは、入射光の方向と界面の法線ベクトルとを含む面（入射面）に対して、電界ベクトルが垂直な偏光である。Ｐ偏光とは、入射光の方向と界面の法線ベクトルとを含む面（入射面）に対して、電界ベクトルが平行な偏光である。
【００３４】
したがって、第３実施形態の光源３０（図７）と同様の構成の光源を用い、出射傾斜面２６ａを入射平面２６ｃに対して３９°よりも若干小さな角度に傾斜させた光源は、破線で示す透過光Ｐ２３を出射させることができる。また、前記光源は、出射傾斜面２６ａの傾斜角を所定の角度にすることにより、実線で示す反射光Ｐ２２の光量と、破線で示す透過光Ｐ２３の光量とを略等しくすることができる。なお、透過光Ｐ２３は、所定の屈折角θｔで屈折する。このため、前記光源は、適切な屈折角になるように傾斜角を設定することができる。
【００３５】
また、本実施形態によれば、出射傾斜面２６ａを所定の角度に傾斜させることにより、第１実施形態よりも、拡散曲面２６ｂを明るく光らせつつ、入出金部３の内部を照明することが可能である。なお、フッ素樹脂の屈折率は、ｎ１＝１．３５であり、臨界角θｃ≒４８°となり、入射角θｉ＝４５°でも全反射することなく、透過光Ｐ２３が存在する。
【００３６】
（第５実施形態）
前記第１実施形態の導光体６は、出射平面６ａが形成されており、前記第３，４実施形態の導光体２６は、出射傾斜面２６ａが形成されていたが、出射平面と出射傾斜面とを交互に形成することができる。
【００３７】
図９は、本発明の第５実施形態の自動取引装置の入出金部を照明する光源の拡散曲面の正面図である。また、図１０Ａ，１０Ｂは、本発明の第５実施形態の自動取引装置の入出金部を照明する光源の部分断面図であり、特に、図１０ＡはＡ−Ａ断面図であり、図１０ＢはＢ−Ｂ断面図である。
【００３８】
導光体３６は、前記各実施形態と同様に、正面視長方形状の拡散曲面３６ｂが形成されている。本実施形態の導光体３６は、長さ方向（発光モジュール８のＬＥＤ配列方向）に３つのブロックに分割されたものであり、両端部に出射傾斜面３６ａ（図１０Ａ）が形成されており、中央部に出射平面３６ｄ（図１０Ｂ）が形成されている。また、前記各実施形態と同様に、導光体３６の入射平面３６ｃと発光モジュール８の発光面８ａとは、近接対向している。
【００３９】
また、出射傾斜面３６ａは、第４実施形態のように、入射平面２６ｃに対して臨界角θｃ≒３９°よりも若干小さな所定の角度で傾斜させて、実線で示す反射光Ｐ２２だけでなく、破線で示す透過光Ｐ２３が出射するようにしている。また、出射平面３６ｄからは、発光モジュール８が出射する出射光Ｐ０が透過光として出射する。
【００４０】
このような構成により、本実施形態の光源４０は、拡散曲面３６ｂの両端部から拡散光が強く出射するが中心部からの拡散光は弱くなる。一方、光源４０は、入出金部３の内部を照明する照明光は、両端部の光量が中心部よりも少なくなる。つまり、光源４０は、誘導灯として機能する拡散曲面３６ｂを部分的に明るくしたり、暗くしたりすることができる。
【００４１】
なお、発光モジュール８は、複数の点光源としてのＬＥＤ素子が配列されたものであるが、両端部のＬＥＤ素子と中央部のＬＥＤ素子とに、複数のＬＥＤ素子を３つの分割光源に分割することができる。両端部の分割光源は、出射傾斜面３６ａ（図１０Ａ）に対向しており、中央部の分割光源は、出射平面３６ｄ（図１０Ｂ）に対向している。
【００４２】
制御装置５（図１Ａ）は、両端部のＬＥＤ素子を点滅させて、中央部のＬＥＤ素子を連続点灯させるようにすることもできる。これによれば、拡散曲面３６ｂからの拡散光は、両端部の点滅光の光量が増加し、中央部の連続光の光量が減少する。また、導光体３６から出射される照明光は、両端部の出射傾斜面３６ａの点滅光が減少し、中央部の出射平面３６ｄの連続光が増加する。
【００４３】
（第６実施形態）
前記第１，２実施形態の光源１０，２０は、発光モジュール８の照射光が直進して出射平面６ａから出射される直進光が入出金部３の内部を照明し、導光体６の側面で反射した反射光や散乱光を拡散曲面６で拡散させて、拡散照明（照光）が取引者の紙幣取り出しを誘導させたが、発光モジュール８が照射する直進光が紙幣取り出しを取引者に誘導させて、導光体６の側面で反射した反射光や散乱光が入出金部３の内部を照明するようにすることができる。
【００４４】
図１１は、本発明の第６実施形態の自動取引装置の入出金部、及びその近傍の詳細図である。
自動取引装置１０１は、本体筐体１と、入出金部３と、シャッタ４と、光源５０とを備えており、シャッタ４は、開閉方向が略水平方向であり、前記各実施形態の開閉方向と異なっている。
光源５０は、本体筐体１に配設されており、基板７に搭載された発光モジュール８と、導光体４６とを備えている。導光体４６は、前記各実施形態の導光体６，１６と同様に、板状導光体に拡散曲面４６ｂが延在している点で一致するが、出射平面の代わりに拡散曲面４６ａが形成されている点で相違する。
【００４５】
拡散曲面４６ａは、導光体４６の出射側端面であって、入出金部３の上方に形成されている。拡散曲面４６ｂは、導光体４６の側面であって、拡散曲面４６ａの近傍に形成されている。なお、光源５０は、シャッタ４の上方に配設されている。拡散曲面４６ａ，４６ｂは、その表面がブラストやシボ加工などにより細かい凹凸形状になっている。
【００４６】
発光モジュール８が照射する直進光は、拡散曲面４６ａに到達し、拡散曲面４６ａで拡散する拡散光は取引者や入出金部３の周囲を照明する。また、発光モジュール８が照射して側面等で反射する反射光は、拡散曲面４６ｂにも到達し、シャッタ４が開放しているときに、拡散曲面４６ｂが拡散する拡散光は紙幣ＢＬを照射する。
【００４７】
本実施形態の光源５０は、発光モジュール８が照射する直進光の方が側面で反射する反射光よりも光量が多いので、拡散曲面４６ａで拡散する拡散光の方が拡散曲面４６ｂで拡散する拡散光よりも光量が多い。
【００４８】
（第７実施形態）
前記各実施形態の光源は、導光体６，１６，２６，３６，４６を用いたが、ハーフミラーを用いることもできる。
図１２は、本発明の第７実施形態の入出金部、及びその近傍の詳細図である。
自動取引装置１０２は、本体筐体１と、入出金部３と、シャッタ４と、基板７に搭載された発光モジュール８と、ハーフミラー５２と、照光レンズ５５とを備えている。ハーフミラーは、入射光の一部が透過し、残りが反射する平板反射鏡である。照光レンズ５５は、断面視半円状の片面レンズであり、曲面側が拡散面になっている。なお、基板７に搭載された発光モジュール８と、ハーフミラー５２と、照光レンズ５５とは、シャッタ４の開閉面の上方に配設されている。
【００４９】
照光レンズ５５は、断面視半円状のライン状レンズであり、その半円側の表面がブラストやシボ加工などにより細かい凹凸形状の拡散面になっており、平面側が研磨面である。ハーフミラー５２は、発光モジュール８の光軸に対して、傾斜しており、ハーフミラー５２で反射した反射光が照光レンズ５５の拡散面で拡散する。また、ハーフミラー５２は、シャッタ４が開放しているときに、透過光が紙幣ＢＬを照明する。これにより、照光レンズ５５の拡散光は、取引者に対して、入出金部３から紙幣ＢＬを取り出すことを誘導する。また、ハーフミラー５２の透過光は、入出金部３の内部の紙幣ＢＬを照明する。
【００５０】
（第８実施形態）
第１実施形態乃至第６実施形態は、導光体を使用し、第７実施形態は、ハーフミラーを使用したが、光ファイバ束を使用することもできる。
【００５１】
図１３は、本発明の第８実施形態の入出金部、及びその近傍の詳細図である。
自動取引装置１０３は、本体筐体１と、入出金部３と、シャッタ４と、基板７に搭載された発光モジュール８と、光ファイバ束６０と、照光レンズ５５とを備える。本体筐体１と、入出金部３と、シャッタ４と、照光レンズ５５とは、前記しているので、説明を省略する。
【００５２】
光ファイバ束６０は、複数本の光ファイバの一端をライン状に束ね、他方の端部を二分割して、分割された端部の各々をライン状に束ねた、二分割光ファイバ束である。また、光ファイバ束６０は、各端部が整列・研磨され、研磨面になっている。ここで、発光モジュール８をライン状でなく、円形の光が出射するように構成すれば、光ファイバ束６０は、一端をライン状に束ねることなく、円形に束ねることができる。
【００５３】
光ファイバ束の一端は、発光モジュール８に近接しており、一方の他端は、照光レンズ５５の平面側に近接しており、他方の他端は、入出金部３の内部に出金された紙幣ＢＬに向けられている。ここで、光ファイバ束６０は、紙幣ＢＬに向けられている他方の他端を含めて、シャッタ４の開閉面の上方に配設されている。
【００５４】
発光モジュール８が照射する照射光は、光ファイバ束６０の一端に入射し、光ファイバ束６０に導光され、二分割された他端から光が出射する。光ファイバ束６０の一方の他端は、照光レンズ５５の平面側に近接しているので、照光レンズ５５の曲面から拡散光が出射する。
【００５５】
（比較例）
１つの発光モジュール８から、導光体、ハーフミラーや、光ファイバ束を介して２箇所の照明を行なう前記各実施形態と比較するために、２つの発光モジュール８を用いて２箇所の照明を行なう比較例について説明する。
【００５６】
図１４は、本発明の比較例である自動取引装置の入出金部、及びその近傍の詳細図である。
自動取引装置１０４は、本体筐体１と、入出金部３と、シャッタ４と、投入口誘導灯としてのフリッカランプ１０５と、投入口照明灯１０６とを備える。フリッカランプ１０５、及び投入口照明灯１０６は、発光素子であるＬＥＤ等が個別に内蔵された光源であり、断面視半円状のライン状に形成されており、曲面側の表面が拡散面である。フリッカランプ１０５は、本体筐体１であって、シャッタ４の開閉面の上方に配設されている照光ランプである。投入口照明灯１０６は、シャッタ４の開閉面の下方に配設されている入出金部３の上部に取り付けられている。入出金部は、前後の側面３ａ，３ｂ（図３）の高さが同一である点で、前記第１実施形態の入出金部３と異なっている。
【００５７】
フリッカランプ１０５は、取引者、及び入出金部３の近傍に対して点滅し、紙幣ＢＬの取り出しを取引者に誘導する。投入口照明灯１０６は、シャッタ４が開放されたときに、連続点灯し、入出金部３の内部に出金された紙幣ＢＬを照明する。ここで、制御装置５（図１Ａ）は、フリッカランプ１０５を点滅させ、投入口照明灯１０６を連続点灯するために、個別制御している。
【００５８】
本比較例の自動取引装置１０４は、フリッカランプ１０５、及び投入口照明灯１０６の各々で発光素子であるＬＥＤ等を備えているのに対して、前記各実施形態の自動取引装置１００，１０１，１０２，１０３は、単一の発光モジュール８を用いている。このため、本比較例の自動取引装置１０４は、前記各実施形態の自動取引装置１００，１０１，１０２，１０３に対して、コストアップである。
【００５９】
また、本比較例の自動取引装置１０４は、フリッカランプ１０５の点滅、及び投入口照明灯１０６の点灯を個別制御する必要があるのに対して、前記各実施形態の自動取引装置１００，１０１，１０２，１０３は、発光モジュール８が単一なので、単一制御で、取引者、及び入出金部３の周囲の照明（照光）と、入出金部３の内部に出金された紙幣ＢＬの照明とを行なうことができる。
【００６０】
（変形例）
本発明は前記した実施形態に限定されるものではなく、例えば以下のような種々の変形が可能である。
（１）前記各実施形態の自動取引装置は、投入口誘導灯と投入口照明灯との２箇所を点灯させることとして説明したが、導光体や拡散曲面（フリッカレンズ）の形状を工夫したり、発光モジュール８の光量を増やしたりすることにより、１つの光源で複数個所を照明することが可能である。また第５実施形態では、投入口誘導灯を３つのブロックに分割して、光量調整することで説明したが、ブロック数は何箇所でも可能である。
【００６１】
（２）前記第６施形態の導光体４６の拡散曲面４６ａは、拡散曲面としたが、拡散させることなく、出射平面とすることもできる。このときは、直接光が取引者に当たらないように、出射角を調整することが好ましい。
【符号の説明】
【００６２】
１  本体筐体
２  紙幣処理装置
３  入出金部（紙幣投入口）
４  シャッタ
５  制御装置（制御部）
６，１６，２６，３６，４６  導光体
６ａ，１６ａ，３６ｄ  出射平面（出射面）
６ｂ，１６ｂ，２６ｂ，３６ｂ，４６ａ，４６ｂ  拡散曲面（拡散面、フリッカレンズ）
６ｃ，１６ｃ，２６ｃ，３６ｃ  入射平面（入射面）
７  基板
８  発光モジュール（ＬＥＤ、線状光源）
８ａ  発光面
１０，２０，３０，４０，５０  光源
１６ｅ  側面
２６ａ，３６ａ  出射傾斜面
５２  ハーフミラー
５５  照光レンズ
６０  光ファイバ束
１００，１０１，１０２，１０３，１０４  自動取引装置
１０５  フリッカランプ（誘導灯）
１０６  投入口照明灯
１５０  入力表示部
ＢＬ  紙幣（媒体）
Ｐ０，Ｐ１，Ｐ５，Ｐ７  出射光
Ｐ２  反射光
Ｐ６  全反射光
Ｐ３，Ｐ８  透過光
【図１Ａ】
0006558217.tif 000002
【図１Ｂ】
0006558217.tif 000003
【図２】
0006558217.tif 000004
【図３】
0006558217.tif 000005
【図４】
0006558217.tif 000006
【図５】
0006558217.tif 000007
【図６】
0006558217.tif 000008
【図７】
0006558217.tif 000009
【図８】
0006558217.tif 000010
【図９】
0006558217.tif 000011
【図１０Ａ】
0006558217.tif 000012
【図１０Ｂ】
0006558217.tif 000013
【図１１】
0006558217.tif 000014
【図１２】
0006558217.tif 000015
【図１３】
0006558217.tif 000016
【図１４】
0006558217.tif 000017